(57)【要約】      （修正有）【課題】原子炉への新燃料等の初装荷時に、移動時期および移動場所の評価を自動的に行い、工程短縮が図れるようにする。【解決手段】燃料の装荷手順と仮設中性子検出器４の移動時期および移動場所とを設定した燃料装荷手順書手段１２、仮設中性子検出器４が受ける中性子の予測値を保存する中性子予測値データベース１８、中性子予測値データベースから中性子予測値を選択する中性子予測値選択手段１９、選択された中性子予測値と仮設中性子検出器の計測値とを入力として予測値と計測値とを比較する予測値・計測値比較手段２０、燃料装荷体数と仮設中性子検出器の炉心内配置場所および仮設中性子検出器の計測値に基づいて中性子の再予測計算を行う中性子再予測計算手段２２、再予測した中性子予測値に基づいて中性子検出器移動場所および移動時期を改訂する燃料装荷手順改訂手段２５を備える。【選択図】図１
2006162488.tif 000002
【特許請求の範囲】
【請求項１】
原子力発電プラントの燃料装荷時に仮設の中性子検出器を炉心に移動可能に設置して部分炉心の中性子監視を支援する装置であって、燃料装荷過程における燃料の装荷手順と前記中性子検出器の移動時期および移動場所とを設定した燃料装荷手順書手段と、前記仮設の中性子検出器が受ける中性子の予測値を保存する中性子予測値データベースと、前記燃料の装荷体数と前記仮設の中性子検出器の炉心内配置場所とを入力として前記中性子予測値データベースから中性子予測値を選択する中性子予測値選択手段と、選択された中性子予測値と前記仮設の中性子検出器の計測値とを入力として当該予測値と計測値とを比較する予測値・計測値比較手段と、前記燃料装荷体数と前記仮設の中性子検出器の炉心内配置場所および前記仮設の中性子検出器の計測値に基づいて中性子の再予測計算を行う中性子再予測計算手段と、再予測した中性子予測値に基づいて前記中性子検出器の移動場所および移動時期を改訂する燃料装荷手順改訂手段とを備えたことを特徴とする燃料装荷時中性子監視支援装置。
【請求項２】
原子力発電プラントの燃料装荷時に仮設の中性子検出器を炉心に移動可能に設置して部分炉心の中性子監視を支援する装置であって、燃料装荷過程における燃料の装荷手順と前記中性子検出器の移動時期および移動場所とを設定した燃料装荷手順書手段と、前記仮設の中性子検出器が受ける中性子の予測値を保存する中性子予測値データベースと、前記燃料の装荷体数と前記仮設の中性子検出器の炉心内配置場所とを入力として前記中性子予測値データベースから中性子予測値を選択する中性子予測値選択手段と、選択された中性子予測値と前記仮設の中性子検出器の計測値とを入力として当該予測値と計測値とを比較する予測値・計測値比較手段と、前記燃料装荷体数と前記仮設の中性子検出器の炉心内配置場所および前記仮設の中性子検出器の計測値に基づいて中性子の再予測計算を行う中性子再予測計算手段と、再予測した中性子予測値と管理目標値における中性子の下限値とを入力として当該下限値を逸脱しない前記仮設中性子検出器の移動場所を算出する移動場所算出手段と、前記再予測した中性子予測値と管理目標値における上限値とを入力として当該上限値を逸脱しない前記仮設中性子検出器の移動時期を算出する移動時期算出手段と、算出した前記中性子検出器の移動場所および移動時期を改訂する燃料装荷手順改訂手段とを備えたことを特徴とする燃料装荷時中性子監視支援装置。
【請求項３】
前記燃料装荷手順書手段により設定された燃料装荷手順データと、前記燃料装荷手順改訂手段により改訂された中性子検出データとを入力として、前記仮設の中性子検出器を移動させる前記燃料交換機の制御用移動データに変換するデータ変換手段と、変換した移動データに基づいて燃料交換機制御計算を行う燃料交換機制御手段と、この燃料交換機制御手段により計算された制御用データを前記燃料交換機に伝送するデータ伝送手段とを備えた請求項１または２記載の燃料装荷時中性子監視支援装置。
【請求項４】
原子力発電プラントの燃料装荷過程における燃料装荷体数と、仮設の中性子検出器の炉心内配置場所とを入力とし、燃料装荷過程での中性子予測値データベースから現在の炉心状態における中性子予測値を選択する中性子予測値選択工程と、選択された中性子予測値と仮設の中性子検出器の計測値とを入力として前記予測値と計測値とを比較する予測値・計測値比較工程と、前記燃料装荷体数と前記仮設の中性子検出器の炉心内配置場所および計測値とを入力とし、中性子の再予測計算を行う中性子再予測計算工程と、再予測した中性子予測値に基づいて前記中性子検出器の移動場所および移動時期を改訂する燃料装荷手順改訂工程とを備えることを特徴とする燃料装荷時中性子監視支援方法。
【請求項５】
原子力発電プラントの燃料装荷過程における燃料装荷体数と、仮設の中性子検出器の炉心内配置場所とを入力とし、燃料装荷過程での中性子予測値データベースから現在の炉心状態における中性子予測値を選択する中性子予測値選択工程と、選択された中性子予測値と仮設の中性子検出器の計測値とを入力として前記予測値と計測値とを比較する予測値・計測値比較工程と、前記燃料装荷体数と前記仮設の中性子検出器の炉心内配置場所および計測値とを入力とし、中性子の再予測計算を行う中性子再予測計算工程と、再予測した中性子予測値と管理目標値の下限値とを入力として当該下限値を逸脱しない前記仮設中性子検出器の移動場所を算出する移動場所算出工程と、前記再予測した中性子予測値と管理目標値の上限値とを入力として当該上限値を逸脱しない前記仮設の中性子検出器の移動時期を算出する移動時期算出工程と、算出した前記中性子検出器の移動場所と移動時期とを燃料装荷手順データに反映し、燃料装荷手順を改訂する燃料装荷手順改定工程とを備えることを特徴とする燃料装荷時中性子監視支援方法。
【請求項６】
燃料装荷手順データを入力とし、燃料交換機制御用の移動データに変換するデータ変換工程と、変換した移動データに基づいて燃料交換機制御計算を行う燃料交換機制御計算工程と、制御用データを前記燃料交換機に伝送するデータ伝送工程とを備える請求項４または５記載の燃料装荷時中性子監視支援方法。
【発明の詳細な説明】
【技術分野】
【０００１】
本発明は、原子力発電プラントの炉心への燃料装荷時において、移動可能な仮設の中性子検出器を使用して燃料装荷過程の部分炉心の中性子監視を行なうための燃料装荷時中性子検出器移動支援装置および同支援方法に関するものである。
【背景技術】
【０００２】
原子力発電プラントの炉心への燃料装荷時において中性子が少ない場合、例えば新燃料の初装荷時には、燃料交換機により移動可能な燃料装荷用の中性子検出器を仮設し、燃料装荷過程の部分炉心の中性子監視を行なっている。
【０００３】
このような燃料装荷時の中性子監視過程において、検出器は燃料の近傍に配置する必要があるが、燃料装荷の進捗に伴い、燃料と検出器とが干渉しないように外側に移動していく必要がある。
【０００４】
そのため、事前に燃料装荷過程での部分炉心の中性子予測を行い、燃料装荷用中性子検出器の移動手順を決定し、燃料装荷手順に反映している。
【０００５】
このような部分炉心での中性子監視において、中性子予測が適切であること、および燃料装荷用の中性子検出器による中性子が検出器健全性および検出精度保持のために設定される管理上の目標値（上限値と下限値）を逸脱しないことが望ましい。
【０００６】
しかしながら、部分炉心における中性子は中性子源の強度、燃料の配置、および燃料装荷用中性子検出器の感度などにより、予測値と異なる可能性がある。中性子の計測値が目標値を逸脱した場合には、検出器の移動時期および配置場所、即ち燃料装荷手順を見直し、かつ、燃料交換機用計算機の移動データを修正する必要があり、その間は燃料装荷作業が中断し、工程が遅延する可能性がある。
【０００７】
このような事情から、従来では、仮設の中性子検出器を使用せず、感度の異なる複数の固定された中性子検出器を使用することが提案されている（例えば、特許文献１参照）。
【特許文献１】特開昭５７−２９９９６号公報
【発明の開示】
【発明が解決しようとする課題】
【０００８】
上述したように、仮設の中性子検出器を使用する部分炉心での中性子監視においては、中性子予測が適切であり、燃料装荷用の中性子検出器による中性子が管理上の目標値（上限値と下限値）を逸脱しないことが望ましいにもかかわらず、部分炉心における中性子は中性子源の強度、燃料の配置、および燃料装荷用中性子検出器の感度などにより、予測と異なる可能性がある。
【０００９】
そして、目標値を逸脱した場合には、検出器の移動時期および配置場所、即ち燃料装荷手順を見直し、かつ、燃料交換機用計算機の移動データを修正する必要があり、その間は燃料装荷作業が中断し、工程が遅延する可能性がある。
【００１０】
本発明はこのような事情に鑑みてなされたものであり、原子炉への新燃料の初装荷時や長期間停止した原子炉への燃料装荷時のような燃料装荷時に中性子が少ない場合において、仮設の中性子検出器を使用する場合、その移動時期および移動場所の評価を自動的に行い、燃料装荷手順書を改訂し、また、燃料交換機用計算機の移動データを更新することができ、燃料装荷作業を中断することなく、工程短縮、能率向上が図れる燃料装荷時中性子監視支援装置および燃料装荷時中性子監視支援方法を提供することを目的とする。
【課題を解決するための手段】
【００１１】
前記の目的を達成するため、請求項１に係る発明では、原子力発電プラントの燃料装荷時に仮設の中性子検出器を炉心に移動可能に設置して部分炉心の中性子監視を支援する装置であって、燃料装荷過程における燃料の装荷手順と前記中性子検出器の移動時期および移動場所とを設定した燃料装荷手順書手段と、前記仮設の中性子検出器が受ける中性子の予測値を保存する中性子予測値データベースと、前記燃料の装荷体数と前記仮設の中性子検出器の炉心内配置場所とを入力として前記中性子予測値データベースから中性子予測値を選択する中性子予測値選択手段と、選択された中性子予測値と前記仮設の中性子検出器の計測値とを入力として当該予測値と計測値とを比較する予測値・計測値比較手段と、前記燃料装荷体数と前記仮設の中性子検出器の炉心内配置場所および前記仮設の中性子検出器の計測値に基づいて中性子の再予測計算を行う中性子再予測計算手段と、再予測した中性子予測値に基づいて前記中性子検出器の移動場所および移動時期を改訂する燃料装荷手順改訂手段とを備えたことを特徴とする燃料装荷時中性子監視支援装置を提供する。
【００１２】
請求項２に係る発明では、原子力発電プラントの燃料装荷時に仮設の中性子検出器を炉心に移動可能に設置して部分炉心の中性子の監視を支援する装置であって、燃料装荷過程における燃料の装荷手順と前記中性子検出器の移動時期および移動場所とを設定した燃料装荷手順書手段と、前記仮設の中性子検出器が受ける中性子の予測値を保存する中性子予測値データベースと、前記燃料の装荷体数と前記仮設の中性子検出器の炉心内配置場所とを入力として前記中性子予測値データベースから中性子予測値を選択する中性子予測値選択手段と、選択された中性子予測値と前記仮設の中性子検出器の計測値とを入力として当該予測値と計測値とを比較する予測値・計測値比較手段と、前記燃料装荷体数と前記仮設の中性子検出器の炉心内配置場所および前記仮設の中性子検出器の計測値に基づいて中性子の再予測計算を行う中性子再予測計算手段と、再予測した中性子予測値と管理目標値における中性子の下限値とを入力として当該下限値を逸脱しない前記仮設中性子検出器の移動場所を算出する移動場所算出手段と、前記再予測した中性子予測値と管理目標値における上限値とを入力として当該上限値を逸脱しない前記仮設中性子検出器の移動時期を算出する移動時期算出手段と、算出した前記中性子検出器の移動場所および移動時期を改訂する燃料装荷手順改訂手段とを備えたことを特徴とする燃料装荷時中性子監視支援装置を提供する。
【００１３】
請求項３に係る発明では、前記燃料装荷手順書手段により設定された燃料装荷手順データと、前記燃料装荷手順改訂手段により改訂された中性子検出データとを入力として、前記仮設の中性子検出器を移動させる前記燃料交換機の制御用移動データに変換するデータ変換手段と、変換した移動データに基づいて燃料交換機制御計算を行う燃料交換機制御手段と、この燃料交換機制御手段により計算された制御用データを前記燃料交換機に伝送するデータ伝送手段とを備えた燃料装荷時中性子監視支援装置を提供する。
【００１４】
請求項４に係る発明では、原子力発電プラントの燃料装荷過程における燃料装荷体数と、仮設の中性子検出器の炉心内配置場所とを入力とし、燃料装荷過程での中性子予測値データベースから現在の炉心状態における中性子予測値を選択する中性子予測値選択工程と、選択された中性子予測値と仮設の中性子検出器の計測値とを入力として前記予測値と計測値とを比較する予測値・計測値比較工程と、前記燃料装荷体数と前記仮設の中性子検出器の炉心内配置場所および計測値とを入力とし、中性子の再予測計算を行う中性子再予測計算工程と、再予測した中性子予測値に基づいて前記中性子検出器の移動場所および移動時期を改訂する燃料装荷手順改訂工程とを備えることを特徴とする燃料装荷時中性子監視支援方法を提供する。
【００１５】
請求項５に係る発明では、原子力発電プラントの燃料装荷過程における燃料装荷体数と、仮設の中性子検出器の炉心内配置場所とを入力とし、燃料装荷過程での中性子予測値データベースから現在の炉心状態における中性子予測値を選択する中性子予測値選択工程と、選択された中性子予測値と仮設の中性子検出器の計測値とを入力として前記予測値と計測値とを比較する予測値・計測値比較工程と、前記燃料装荷体数と前記仮設の中性子検出器の炉心内配置場所および計測値とを入力とし、中性子の再予測計算を行う中性子再予測計算工程と、再予測した中性子予測値と管理目標値の下限値とを入力として当該下限値を逸脱しない前記仮設中性子検出器の移動場所を算出する移動場所算出工程と、前記再予測した中性子予測値と管理目標値の上限値とを入力として当該上限値を逸脱しない前記仮設の中性子検出器の移動時期を算出する移動時期算出工程と、算出した前記中性子検出器の移動場所と移動時期とを燃料装荷手順データに反映し、燃料装荷手順を改訂する燃料装荷手順改定工程とを備えることを特徴とする燃料装荷時中性子監視支援方法を提供する。
【００１６】
請求項６に係る発明では、燃料装荷手順データを入力とし、燃料交換機制御用の移動データに変換するデータ変換工程と、変換した移動データに基づいて燃料交換機制御計算を行う燃料交換機制御計算工程と、制御用データを前記燃料交換機に伝送するデータ伝送工程とを備える燃料装荷時中性子監視支援方法を提供する。
【発明の効果】
【００１７】
本発明によれば、燃料装荷時の中性子の予測値が計測値と異なった場合において、燃料装荷途中に自動的に予測計算が実行され、燃料装荷用中性子検出器の移動手順および移動場所が自動的に算出され、燃料装荷手順の改訂ならびに燃料交換機移動データの修正を自動的に短時間で行なうことができる。すなわち、原子炉への新燃料の初装荷時や長期間停止した原子炉への燃料装荷時のような燃料装荷時に中性子が少ない場合において、燃料装荷用の中性子検出器の移動時期および移動場所の評価を自動的に行い、燃料装荷手順を改訂し、また、燃料交換機用計算機の移動データを更新することができる。
【発明を実施するための最良の形態】
【００１８】
以下、本発明に係る燃料装荷時中性子監視支援装置および同監視方法の実施形態について、図面を参照して説明する。なお、以下の実施形態では、沸騰水型原子力発電プラントへの適用例について説明する。但し、他の型式の原子力発電プラントに対しても適用可能なことは勿論である。
【００１９】
図１は、本実施形態による燃料装荷時中性子監視支援装置の構成を示す系統図であり、図２は、燃料装荷および仮設の中性子検出器の炉心内配置例を示す説明図（平面図）である。図３は、燃料装荷時中性子監視支援方法の手順を示すフローチャートである。図４〜図８は、初期ないし改定後の燃料装荷手順、仮設の中性子予測値および計測値等を例示した説明図（表）である。
【００２０】
図１および図２に示すように、原子炉圧力容器１上に燃料交換機２が設けられ、この燃料交換機２によって、燃料３および仮設の中性子検出器（以下、「仮設中性子検出器」という。）４が炉心５に吊下げられ、それぞれ移動可能とされている。なお、仮設中性子検出器４は複数体設置されるが、図１では１体、図２では２体を代表的に示している。
【００２１】
本実施形態の燃料装荷時中性子監視支援装置１１は、燃料交換機２を用いる燃料３の燃料装荷手順および仮設中性子検出器４の移動時期、場所等を設定した燃料装荷手順書手段１２を備えている。この燃料装荷手順書手段１２は、演算器およびＲＡＭ等の記憶装置を備え、入出力装置１３から信号変換器１４を介してオペレータ操作により初期設定等がなされ、所定の燃料装荷手順が記述されている。
【００２２】
図４には、燃料装荷手順書手段１２に初期設定された燃料装荷ステップ、作業内容、燃料３の移動座標設定等が示されている。この図４に示すように、例えば燃料移動の進行について、「ステップ１」，「ステップ２」，「ステップ３」‥のように記述されている。そして、ステップ１に対応する移動座標設定として、燃料１を燃料プール等の保管場所において所定の「つかみ座標」で吊上げ、移動先である炉心内の所定の位置、すなわち「はなし座標Ｘ１−Ｙ１」のように、燃料３を設置する手順が記述されている。「ステップ２」，「ステップ３」‥等についても同様の設定が記述されている。これにより、図２に示すように、燃料３が炉心５に装荷されていく。
【００２３】
これらの仮設中性子検出器（１）、（２）は、燃料装荷時において、例えば図２に示した場所「イ」、「ロ」の位置、すなわち燃料３に接近した所定の座標位置に配置される。
【００２４】
これらの装荷作用は、燃料装荷手順書手段１２に設定されている手順に従い、データ変換手段（データ変換器）１５、燃料交換機制御装置１６およびデータ転送手段１７を介して行われる。すなわち、データ変換手段１５は、燃料装荷手順データを入力とし、燃料交換機制御装置１６への演算用移動データに変換し、データ伝送手段１７は、燃料交換機制御装置１６からの制御演算結果による移動データを燃料交換機２に伝送するようになっている。
【００２５】
また、燃料装荷時中性子監視支援装置１１は、仮設中性子検出器４が受ける中性子の予測値を保存する中性子予測値データベース１８を備えている。
【００２６】
図５は、この中性子予測値データベース１８に保存された中性子予測値を例示している。例えば、第１番目の「燃料装荷ステップ１」で装荷される燃料３に対して、第１の「仮設中性子検出器（１）」で検出された中性子が、「２５」と予測されている。また、同燃料３に対して第２の「仮設中性子検出器（２）」で検出された中性子は「８」と予測されている。
【００２７】
さらに、燃料装荷時中性子監視支援装置１１は、中性子予測値選択手段１９を備えている。この中性子予測値選択手段１９は、上述した燃料３の装荷体数と、仮設中性子検出器４の炉心内配置場所とを入力として、中性子予測値データベース１８から中性子予測値を選択する機能を有している。この中性子予測値選択手段１９によって選択された中性予測値が、仮設中性子検出器４による実際の中性子測定値との比較対象となる。
【００２８】
また、燃料装荷時中性子監視支援装置１１は、予測値・計測値比較手段２０を備えている。この予測値・計測値比較手段２０には、中性子予測値選択手段１９によって中性子予測値データベース１８から選択された所定の仮設中性子検出器４に対応する中性子予測値が入力されると同時に、当該同一の仮設中性子検出器４によって検出された実際の計測値が中性子検出信号ａとして信号変換器２１を介して入力される。そして、この実際の計測値と中性子予測値との比較が行われて、両値の差が求められる。
【００２９】
さらにまた、燃料装荷時中性子監視支援装置１１は、中性子予測値と中性子計測値の比較に基づいて、中性子の再予測計算を行う中性子再予測計算手段２２と、再予測した中性子予測値に基づいて仮設中性子検出器４の移動場所および移動時期を算出する仮設中性子検出器場所算定手段２３および仮設中性子検出器時期算定手段２４と、これらの算定手段２３，２４の算定結果に基づいて燃料装荷手順および仮設中性子検出器４の場所および移動時期を改訂する燃料装荷手順改訂手段２５とを備えている。
【００３０】
すなわち、中性子再予測計算手段２２では、燃料装荷体数と仮設中性子検出器４の炉心内配置場所および仮設中性子検出器４の計測値とに基づいて、中性子の再予測計算が行われる。
【００３１】
図６は、実際の計測値を具体的に示し、図７は、改訂後の燃料装荷手順を示し、図８は、装荷手順改訂後の燃料装荷時における中性子計測値の例を示している。例えば、「第１の中性子検出器（１）」において実際に検出された計測値が「５」であり、図５に示した「第１の中性子検出器（１）」の中性子予測値「２５」と比較して実際の計測値が低いことがわかる。また、例えば、「第２の中性子検出器（２）」においては、実際に検出された計測値が「５０」であり、図５に示した「第２の中性子検出器（２）」の中性子予測値「５０」と比較して実際の計測値と同等であることがわかる。なお、「第２の中性子検出器（２）」については、「燃料装荷ステップ３３」および「燃料装荷ステップ３４」の検出値が微量であり、設定した下限値を逸脱していることが示されている。
【００３２】
仮設中性子検出器場所算定手段２３では、再予測した中性子予測値と管理目標値における中性子の下限値とを入力として当該下限値を逸脱しない仮設中性子検出器３の移動場所が算出される。仮設中性子検出器時期算定手段２４では、再予測した中性子予測値と管理目標値における上限値とを入力として当該上限値を逸脱しない仮設中性子検出器の移動時期が算出される。
【００３３】
これらの算出された仮設中性子検出器４の移動場所および移動時期時期が、燃料装荷手順データに反映され、燃料装荷手順書手段１２の内容が改訂される。そして、上述したように、データ変換手段１５により燃料交換機制御装置１６への演算用移動データへの変換が行われ、データ伝送手段１７により、燃料交換機制御装置１６からの制御演算結果による移動データが燃料交換機２に伝送され、新たな手順で燃料装荷作用が行われる。
【００３４】
改訂後の燃料装荷手順としては、例えば図７に示すように、燃料装荷ステップが変更され、また図８に示すように、装荷手順改訂後の燃料装荷時中性子計測値が変更される。
【００３５】
次に、図３を参照して、燃料装荷時中性子監視支援方法の手順を説明する。図３は、燃料装荷時中性子監視支援方法における手順を示すフローチャートである。
【００３６】
図３に示すように、まず、中性子予測値選択手段１９により、燃料装荷手順書手段１２に設定されたデータが選択されるとともに、燃料装荷時の中性子予測値データベース１８から、現在の燃料装荷体数と仮設中性子検出器配置場所における中性子予測値とが選択される（中性子予測値選択工程：Ｓ１０１）。
【００３７】
次に、予測値・計測値比較手段２０により、現在の中性子予測値と仮設中性子４の検出器計測値とが比較される（予測値・計測値比較工程：Ｓ１０２）。
【００３８】
そして、予測値・計測値比較手段２０における予測値と計測値とが異なる場合に、燃料装荷体数と、仮設中性子検出器配置場所と、計測値とに基づいて燃料装荷過程における中性子予測が再度実行され、中性子再予測値が出力される（中性子再予測計算工程：Ｓ１０３）。
【００３９】
その後、管理目標値（下限値）と、中性子再予測値とが比較され、管理目標値（下限値）を逸脱した場合には、十分明確な計測値を得るために、下限値を逸脱しないような仮設中性子検出器の移動場所（例えば燃料３に対して接近する方向の移動場所）が算出され、手順燃料装荷手順改訂手段２５に出力される（移動場所算出工程：Ｓ１０４）。
【００４０】
また、管理目標値（上限値）と中性子再予測値との比較が行われ、管理目標値（上限値）を逸脱した場合には、仮設中性子検出器４の健全性を維持するために、上限値を逸脱しないような仮設中性子検出器の移動時期（例えば燃料３から離間する方向（図２の「ハ」、「ニ」等参照）への早期移動用時期）が算出され、燃料装荷手順書改訂手段２５に出力される（移動時期算出工程：Ｓ１０５）。
【００４１】
そして、装荷手順書改訂手段２５から出力された中性子検出器の移動時期および移動場所により燃料装荷手順書手段１２の内容が改訂され（燃料装荷手順改訂工程：Ｓ１０６）、さらに燃料交換機移動へのデータ作成および伝送が行われ（燃料交換移動データ作成・伝送工程：Ｓ１０７）、燃料交換機が動作して作業が継続される（Ｓ１０８）。
【００４２】
以上の実施形態によれば、燃料装荷時の中性子の予測値が計測値と異なった場合において、燃料装荷途中に自動的に予測計算が実行され、仮設中性子検出器４の移動手順および移動場所が自動的に算出され、燃料装荷手順の改訂ならびに燃料交換機移動データの修正が自動的に短時間で行なわれる。
【００４３】
したがって、原子炉への新燃料の初装荷時や長期間停止した原子炉への燃料装荷時のような燃料装荷時に中性子が少ない場合において、仮設中性子検出器４の移動時期および移動場所の評価を自動的に行って燃料装荷手順を改訂し、燃料交換機用計算機の移動データを自動的に更新することにより、燃料交換機用計算機の移動データを修正する間に燃料装荷作業が中断し、工程が遅延する等の従来の課題を解決し、工程短縮、能率向上等が図れるようになる。
【図面の簡単な説明】
【００４４】
【図１】本発明の一実施形態の装置構成を示す説明図。
【図２】本発明の一実施形態の燃料装荷用中性子検出器移動例を示す平面図。
【図３】本発明の一実施形態を示すフローチャート。
【図４】燃料装荷手順書の例を示す表。
【図５】燃料装荷時中性子予測値と計測値の例を示す表。
【図６】改訂後の燃料装荷手順書の例を示す表。
【図７】改訂後の燃料装荷手順書の例を示す表。
【図８】装荷手順改訂後の燃料装荷時中性子計測値の例を示す表。
【符号の説明】
【００４５】
１  原子炉圧力容器
２  燃料交換機
３  燃料
４  仮設の中性子検出器
５  炉心
１１  燃料装荷時中性子監視支援装置
１２  燃料装荷手順書手段
１３  入出力装置
１４  信号変換器
１５  データ変換手段
１６  燃料交換機制御装置
１７  データ転送手段
１８  中性子予測値データベース
１９  中性子予測値選択手段
２０  予測値・計測値比較手段
２１  信号変換器
２２  中性子再予測計算手段
２３  仮設中性子検出器場所算定手段
２４  仮設中性子検出器時期算定手段
２５  燃料装荷手順改訂手段
【図１】
2006162488.tif 000003
【図２】
2006162488.tif 000004
【図３】
2006162488.tif 000005
【図４】
2006162488.tif 000006
【図５】
2006162488.tif 000007
【図６】
2006162488.tif 000008
【図７】
2006162488.tif 000009
【図８】
2006162488.tif 000010